(57)【要約】【課題】手摺の端部を支持する支柱に横桟の端部を見栄え良く固定可能で、かつ施工性を向上し得る横桟固定部材及びこれを備えた手摺支持装置を提供する。【解決手段】手摺６長手方向に間隔を空けて設置される複数本の支柱２０の高さ方向途中部位に配される横桟２５の長手方向一方側の端部２６を、前記手摺の長手方向一方側の端部７を支持する支柱２０Ａに固定する横桟固定部材１０であって、前記横桟の端部が差し込まれる差込凹所１２が長手方向第１端部１１の端面１１ａにおいて開口するように設けられ、長手方向第２端部１４側を底側とした有底筒状とされており、前記第２端部には、前記支柱の側面２１に対面される第１側面１５から突出し、前記支柱の側面において開口する凹部２２に挿入される突出部１６と、該突出部を含んで当該第２端部を該突出部の突出方向に沿って貫通し、第２側面１８において開口する止具挿通孔１７と、が設けられている。【選択図】図１
2020051033.tif 000002
【特許請求の範囲】
【請求項１】
手摺長手方向に間隔を空けて設置される複数本の支柱の高さ方向途中部位に配される横桟の長手方向一方側の端部を、前記手摺の長手方向一方側の端部を支持する支柱に固定する横桟固定部材であって、
前記横桟の端部が差し込まれる差込凹所が長手方向第１端部の端面において開口するように設けられ、長手方向第２端部側を底側とした有底筒状とされており、
前記第２端部には、前記支柱の側面に対面される第１側面から突出し、前記支柱の側面において開口する凹部に挿入される突出部と、該突出部を含んで当該第２端部を該突出部の突出方向に沿って貫通し、第２側面において開口する止具挿通孔と、が設けられていることを特徴とする横桟固定部材。
【請求項２】
請求項１において、
前記突出部は、前記支柱の凹部に対して当該突出部の突出方向に沿う軸回りに回転自在に挿入される構成とされていることを特徴とする横桟固定部材。
【請求項３】
請求項２において、
前記突出部は、突出方向及び当該横桟固定部材の長手方向に直交する幅方向の中央部に位置するように設けられており、
前記第２端部の端面は、前記突出方向に見て前記幅方向の中央部を最も突出させた突湾曲面形状とされていることを特徴とする横桟固定部材。
【請求項４】
請求項１乃至３のいずれか１項において、
前記止具挿通孔の前記第２側面側の開口を覆うキャップ部材を備えていることを特徴とする横桟固定部材。
【請求項５】
手摺長手方向に間隔を空けて設置される複数本の支柱と、これら支柱の高さ方向途中部位に配される横桟と、この横桟の長手方向一方側の端部を、前記手摺の長手方向一方側の端部を支持する支柱に固定する請求項１乃至４のいずれか１項に記載の横桟固定部材と、を備えていることを特徴とする手摺支持装置。
【発明の詳細な説明】
【技術分野】
【０００１】
本発明は、横桟固定部材及びこれを備えた手摺支持装置に関する。
【背景技術】
【０００２】
従来より、階段や吹き抜け等の縁部において欄干状（柵状）に設置される手摺装置が知られている。このような手摺装置は、踏板や床等の設置面に下端側が固定され、上端側が手摺に固定される複数本の支柱によって手摺を支持する構成とされている。また、このような手摺装置は、複数本の支柱の高さ方向途中部位に固定される横桟を備えている。
例えば、下記特許文献１には、手摺を支持する支柱に横桟材を固定する固定具として、横桟材が上方から嵌め入れられる受溝状の凹所を設けた本体部と、この本体部に被せられるキャップ体と、を備えた固定具が開示されている。この固定具の本体部は、横桟材の長手方向に沿って長尺状とされ、その中央部に、支柱に設けられた溝部に嵌め入れられる突起部を設けた構成とされている。また、この本体部は、突起部の両側に、支柱の前後（手摺長手方向）両側から横桟材にねじ込まれるねじの導入孔を設けた構成とされている。
【先行技術文献】
【特許文献】
【０００３】
【特許文献１】特許第４１１９４４５号公報
【発明の概要】
【発明が解決しようとする課題】
【０００４】
しかしながら、上記特許文献１に開示された固定具では、横桟材の長手方向の端部を支柱に固定する場合には、本体部の凹所の端部に横桟材の端部を位置合わせする必要があった。また、支柱の前後両側にねじの導入孔が設けられた部位が存在するため、横桟材の端部を固定する固定具が手摺の端部を支持する支柱から手摺長手方向に大きく突出するものであった。
【０００５】
本発明は、上記実情に鑑みてなされたものであり、手摺の端部を支持する支柱に横桟の端部を見栄え良く固定可能で、かつ施工性を向上し得る横桟固定部材及びこれを備えた手摺支持装置を提供することを目的としている。
【課題を解決するための手段】
【０００６】
上記目的を達成するために、本発明に係る横桟固定部材は、手摺長手方向に間隔を空けて設置される複数本の支柱の高さ方向途中部位に配される横桟の長手方向一方側の端部を、前記手摺の長手方向一方側の端部を支持する支柱に固定する横桟固定部材であって、前記横桟の端部が差し込まれる差込凹所が長手方向第１端部の端面において開口するように設けられ、長手方向第２端部側を底側とした有底筒状とされており、前記第２端部には、前記支柱の側面に対面される第１側面から突出し、前記支柱の側面において開口する凹部に挿入される突出部と、該突出部を含んで当該第２端部を該突出部の突出方向に沿って貫通し、第２側面において開口する止具挿通孔と、が設けられていることを特徴とする。
【０００７】
また、上記目的を達成するために、本発明に係る手摺支持装置は、手摺長手方向に間隔を空けて設置される複数本の支柱と、これら支柱の高さ方向途中部位に配される横桟と、この横桟の長手方向一方側の端部を、前記手摺の長手方向一方側の端部を支持する支柱に固定する本発明に係る横桟固定部材と、を備えていることを特徴とする。
【発明の効果】
【０００８】
本発明に係る横桟固定部材及びこれを備えた手摺支持装置は、上述のような構成としたことで、手摺の端部を支持する支柱に横桟の端部を見栄え良く固定することができ、また、施工性を向上させることができる。
【図面の簡単な説明】
【０００９】
【図１】本発明の一実施形態に係る横桟固定部材の一例及びこれを備えた手摺支持装置の一例を模式的に示す一部破断概略分解斜視図である。
【図２】同手摺支持装置を模式的に示す一部破断概略側面図である。
【図３】（ａ）〜（ｄ）は、同横桟固定部材を模式的に示し、（ａ）は、概略側面図、（ｂ）は、概略平面図、（ｃ）は、概略背面図、（ｄ）は、（ａ）におけるＸ１−Ｘ１線矢視に対応させた概略横断面図である。
【図４】（ａ）は、図２におけるＹ部に対応させた一部破断概略側面図、（ｂ）は、（ａ）におけるＸ２−Ｘ２線矢視に対応させた一部破断概略横断面図である。
【図５】（ａ）、（ｂ）は、図４（ａ）に対応させた一部破断概略側面図である。
【発明を実施するための形態】
【００１０】
以下に本発明の実施の形態について、図面に基づいて説明する。
なお、一部の図では、他図に付している詳細な符号の一部を省略している。
また、以下の実施形態では、本実施形態に係る横桟固定部材を備えた手摺支持装置を設置した状態を基準として上下方向等の方向を説明する。
図１〜図５は、本実施形態に係る横桟固定部材及びこれを備えた手摺支持装置の一例を模式的に示す図である。
【００１１】
本実施形態に係る手摺支持装置１は、図１及び図２に示すように、手摺６長手方向に間隔を空けて設置される複数本の支柱２０と、これら支柱２０の高さ方向途中部位に配される横桟２５と、横桟固定部材１０と、を備えている。本実施形態に係る横桟固定部材１０は、横桟２５の長手方向一方側の端部２６を、手摺６の長手方向一方側の端部７を支持する支柱（端支柱）２０Ａに固定する構成とされている。
本実施形態では、手摺支持装置１は、オープン型の階段３の開放側に設置される手摺６を支持する構成とされている。つまり、手摺支持装置１は、階段３の勾配に応じて傾斜状に配される手摺６を支持する構成とされている。なお、以下では、下階側において階段３に対面した状態を基準として手前側（下階側）を前方として説明する。
【００１２】
手摺６は、階段３昇降方向に長尺状とされている。この手摺６の水平面に対する傾斜角度は、階段３の勾配に応じた角度であればよく、例えば、３０度〜５５度程度でもよい。図２では、手摺６の傾斜角度を３５度程度とした例を示している。また、この手摺６の長手方向一方側となる下階側の端部７に、適宜のキャップ部材が設けられたものでもよい。なお、図示は省略しているが、手摺６の長手方向他方側となる上階側の端部にもキャップ部材を設けた態様としてもよい。
この手摺６は、その長手方向途中部位に長手方向に間隔を空けて設置される支柱２０が固定されて支持される。図例では、この手摺６の下階側の端部７を支持する端支柱２０Ａを、下階の床２上に設置した例を示している。また、端支柱２０Ａの上階側（上段側）の他の支柱２０を階段３の踏板４上に設置した例を示している。また、これら支柱２０，２０Ａを、１段間隔を空けて設置した例を示している。端支柱２０Ａを含む複数本の支柱２０，２０Ａは、互いに同様の構成とされているので、以下では、１つの支柱２０を例にとって説明し、また、端支柱２０Ａの区別を要さない場合には、単に支柱２０として説明する場合がある。
【００１３】
支柱２０は、上下方向に長尺状とされ、略四角柱状とされている。本実施形態では、この支柱２０を、図４（ｂ）に示すように、中空筒状としている。この支柱２０の階段３昇降方向に向く前面及び後面は、互いに平行状で略平坦面状とされている。
また、この支柱２０の階段３幅方向外側（オープン側）に向く側面２１には、この側面２１において開口する凹部２２が設けられている。この凹部２２は、支柱２０の前後方向（手摺６長手方向）略中心に位置するように設けられている。また、本実施形態では、この凹部２２を、支柱２０の長手方向に沿って延びる溝状とした構成としている。この凹部２２は、支柱２０の概ね全長に亘って設けられたものでもよい。また、図例では、支柱２０の階段３幅方向中心側に向く側面にも同様の溝状の凹部を設けた例を示している。このような構成とすれば、支柱２０のいずれ側の側面２１にも後記する横桟固定部材１０を介して横桟２５を固定することができる。
【００１４】
また、支柱２０の上端部には、図２に示すように、手摺６に固定される固定部２３が設けられている。この固定部２３は、手摺６の下面側に、ねじ等の止具によって固定される。なお、この固定部２３は、支柱２０に対して階段３幅方向に沿う軸回りに回転（揺動）自在とされたものでもよい。
また、支柱２０の下端部は、支柱２０の設置対象（床２または踏板４）に対して、ベース部材２４を介して固定される。このベース部材２４は、止具によって設置対象に固定されるものでもよい。また、このベース部材２４には、支柱２０の下端部が差し込まれる凹所が上方側に向けて開口するように設けられている。支柱２０は、ベース部材２４の凹所に差し込まれた下端部に、ベース部材２４の側周壁を貫通する止具が止着されてベース部材２４に固定されるものでもよい。
【００１５】
また、支柱２０は、高さ方向途中部位が上段側の踏板４の前端部に固定されるものでもよい。図例では、階段３の踏板４に、蹴込面を形成する蹴込板５よりも前方に突出する段鼻部を設け、この段鼻部の前端面に支柱２０の後面を当接させた例を示している。この支柱２０の高さ方向途中部位は、止具によって段鼻部に固定されるものでもよく、適宜の固定部材を介して固定されるものでもよい。なお、支柱２０の固定態様や手摺６の支持態様としては、上記のような態様に限られず、その他、種々の変形が可能である。
【００１６】
横桟２５は、図２に示すように、手摺６と平行状に配される。つまり、本実施形態では、横桟２５は、階段３昇降方向に長尺状とされ、階段３の勾配に応じて傾斜状に配される。また、上下に並列状に複数本（図例では、４本）の横桟２５を設けた例を示している。これら横桟２５は、互いに同様の構成とされているので、以下では、１つの横桟２５を例にとって説明する。
この横桟２５は、略四角柱状とされている。本実施形態では、この横桟２５を、図１及び図４（ｂ）に示すように、中空筒状としている。また、この横桟２５は、支柱２０よりも細く形成されている。
【００１７】
また、横桟２５の長手方向途中部位は、図２に示すように、固定部材２７を介して支柱２０に固定される。この固定部材２７は、横桟２５の長手方向に長尺状とされている。また、この固定部材２７は、長手方向中央部に支柱２０の凹部２２に挿入される突出部を設けた構成とされたものでもよい。また、この固定部材２７は、上方側に向けて開口し、横桟２５を受け入れる受入凹所が設けられたものでもよい。また、この固定部材２７は、ねじ等の止具によって支柱２０及び横桟２５に固定されるものでもよい。また、この固定部材２７は、上記のような受入凹所を設けた横桟受部材とカバー部材とからなるものでもよい。なお、横桟２５の長手方向途中部位を端支柱２０Ａ以外の支柱２０に固定する固定部材２７としては、上記のような構成とされたものに限られず、その他、種々の変形が可能である。
【００１８】
横桟固定部材１０は、図１及び図３（ｄ）に示すように、横桟２５の長手方向一方側の端部２６が差し込まれる差込凹所１２が長手方向第１端部１１の端面１１ａにおいて開口するように設けられ、長手方向第２端部１４側を底側とした有底筒状とされている。図例では、横桟２５の長手方向一方側としての下階側の端部２６を、横桟固定部材１０を介して端支柱２０Ａに固定した例を示している。なお、横桟２５の長手方向他方側としての上階側の端部を、本実施形態に係る横桟固定部材１０を介して手摺６の他方側の端部を支持する支柱に固定するようにしてもよい。
【００１９】
この横桟固定部材１０の第２端部１４には、端支柱２０Ａの側面２１に対面される第１側面１５から突出し、端支柱２０Ａの側面２１において開口する凹部２２に挿入される突出部１６が設けられている。また、第２端部１４には、突出部１６を含んで当該第２端部１４を突出部１６の突出方向に沿って貫通し、第２側面１８において開口する止具挿通孔１７が設けられている。
この横桟固定部材１０は、横桟２５の長手方向に長尺状とされている。また、横桟固定部材１０は、図３（ｃ）に示すように、長手方向に見て、突出部１６を除いた部位の外郭形状が略方形状とされている。この横桟固定部材１０の突出部１６を除いた部位の第１側面１５と第２側面１８とは、互いに平行状で略平坦面状とされている（図３（ｂ）も参照）。また、この横桟固定部材１０の上下両側面は、互いに平行状で略平坦面状とされている（図３（ａ）も参照）。
【００２０】
差込凹所１２は、図３（ｃ）に示すように、当該横桟固定部材１０の長手方向と同方向となる開口方向に見て、略方形状とされている。この差込凹所１２の当該横桟固定部材１０の長手方向に沿う深さ寸法は、横桟２５の端部２６の差込性等から適宜の寸法としてもよい。図例では、この差込凹所１２の深さ寸法を、底部１３が第２端部１４近傍に至るように、当該横桟固定部材１０の長さ寸法の１／２以上の寸法とした例を示している。
また、この差込凹所１２の四周を区画する部位の厚さ寸法は、横桟２５との段差を小さくする観点や強度上の観点等から適宜の寸法としてもよく、例えば、１ｍｍ〜５ｍｍ程度としてもよい。
【００２１】
突出部１６は、端支柱２０Ａの凹部２２に対して当該突出部１６の突出方向に沿う軸回りに回転自在に挿入される構成とされている。本実施形態では、図３（ｄ）及び図４（ｂ）に示すように、突出部１６を、凹部２２の溝幅に応じた外径とされた略円柱状とした構成としている。また、この突出部１６の突出寸法を、凹部２２の溝深さ寸法に応じた寸法としている。この突出部１６の突出寸法は、凹部２２に挿入された状態で、第１側面１５が端支柱２０Ａの側面２１に当接または近接対面するように適宜の寸法としてもよい。
また、この突出部１６は、突出方向及び当該横桟固定部材１０の長手方向に直交する幅方向の中央部に位置するように設けられている。
【００２２】
止具挿通孔１７は、図３（ａ）及び図３（ｄ）に示すように、突出部１６と略同心状とされた丸孔状とされている。この止具挿通孔１７は、第２側面１８側部位が突出部１６側部位よりも大径状とされた大径部１７ａとされ、突出部１６側部位が小径部１７ｂとされた段付孔とされている。これら大径部１７ａと小径部１７ｂとは、略同心状に設けられている。大径部１７ａの径は、止具８の頭部の受入が可能な径とされている。小径部１７ｂの径は、止具８の軸部の挿入が可能で、かつ止具８の頭部の径よりも小径とされている。なお、図例では、大径部１７ａ及び小径部１７ｂの貫通方向に沿う寸法を互いに略同寸法とした例を示しているが、このような寸法に限られない。
【００２３】
また、本実施形態では、横桟固定部材１０は、図１及び図４（ｂ）に示すように、この止具挿通孔１７の第２側面１８側の開口を覆うキャップ部材１９を備えている。このキャップ部材１９は、大径部１７ａの開口を覆うように大径部１７ａよりも大径状とされている。図例では、このキャップ部材１９を、突出部１６の突出方向に沿う方向に見て、略円形状としている。また、このキャップ部材１９に、大径部１７ａに嵌め込まれる嵌込部１９ａを設けた構成としている。このキャップ部材１９は、嵌込部１９ａが大径部１７ａに圧入されて取り付けられるものでもよい。なお、止具挿通孔１７の第２側面１８側の開口を覆うキャップ部材１９としては、このような構成とされたものに限られず、その他、種々の構成とされたものでもよい。
【００２４】
また、本実施形態では、図３（ａ）に示すように、横桟固定部材１０の第２端部１４の端面１４ａを、突出部１６の突出方向に沿う方向に見て、当該横桟固定部材１０の幅方向の中央部を最も突出させた突湾曲面形状としている。また、本実施形態では、図３（ｄ）に示すように、突出部１６から第２端部１４の端面１４ａの最突出部までの横桟固定部材１０長手方向に沿う寸法を、端支柱２０Ａの前面から凹部２２の前面側の開口縁までの前後方向に沿う寸法以下としている。図例では、これら突出部１６から第２端部１４の端面１４ａの最突出部までの横桟固定部材１０長手方向に沿う寸法と、端支柱２０Ａの前面から凹部２２の前面側開口縁までの前後方向に沿う寸法と、を略同寸法とした例を示している。
【００２５】
また、図例では、第２端部１４の端面１４ａを、突出部１６の突出方向に沿う方向に見て、当該横桟固定部材１０の幅方向の中央部を円心とする円弧状とした例を示している。また、このように突出部１６の突出方向に沿う方向に見て円弧状とされた端面１４ａの円心を、突出部１６の軸心と略同心状（図例では、突出部１６の軸心よりも僅かに第１端部１１側寄り）とした例を示している。
また、第１端部１１の端面１１ａも同様、突出部１６の突出方向に沿う方向に見て、当該横桟固定部材１０の幅方向の中央部を最も突出させた突湾曲面形状としている。なお、このような態様に代えて、第１端部１１の端面１１ａを、多面形状としたり、平坦面状としたりしてもよい。
【００２６】
上記構成とされた横桟固定部材１０は、図４に示すように、突出部１６を端支柱２０Ａの凹部２２に差し込み、止具挿通孔１７を介して止具８を端支柱２０Ａに止着して端支柱２０Ａに固定される。なお、横桟２５は、横桟固定部材１０を端支柱２０Ａに固定する前に端部２６を差込凹所１２に差し込んで固定されるものでもよく、端支柱２０Ａに固定（仮固定）された横桟固定部材１０の差込凹所１２に端部２６を差し込んで固定されるものでもよい。
また、本実施形態では、上述のように、突出部１６を、端支柱２０Ａの凹部２２に対して当該突出部１６の突出方向に沿う軸回りに回転自在に挿入される構成としているので、横桟２５（手摺６）の傾斜角度に合わせて適宜の角度で固定することができる。図４（ａ）では、３５度程度の傾斜角度で横桟固定部材１０及び横桟２５を固定した例を示している。また、図５（ａ）では、４０度程度の傾斜角度で横桟固定部材１０及び横桟２５を固定した例を示している。また、図５（ｂ）では、３０度程度の傾斜角度で横桟固定部材１０及び横桟２５を固定した例を示している。
【００２７】
なお、横桟固定部材１０及び横桟２５は、上記のように水平面に対して傾斜状に配されて固定されるものに限られない。例えば、横桟固定部材１０は、吹き抜けや踊り場、廊下部の縁において水平状に配される手摺６の下方側に平行状に設けられる横桟２５の端部２６を端支柱２０Ａに固定するものでもよい。
また、横桟固定部材１０、上記した支柱２０及び横桟２５は、合成樹脂系材料や金属系材料から形成されたものでもよい。また、支柱２０及び横桟２５は、木質系材料から形成されたものでもよい。また、本実施形態に係る手摺支持装置１は、上記した手摺６を備えた手摺装置として把握するようにしてもよい。
【００２８】
本実施形態に係る横桟固定部材１０及びこれを備えた手摺支持装置１は、上述のような構成としたことで、手摺６の端部７を支持する端支柱２０Ａに横桟２５の端部２６を見栄え良く固定することができ、また、施工性を向上させることができる。
つまり、横桟固定部材１０の第１端部１１に横桟２５の端部２６が差し込まれる差込凹所１２を設け、底側の第２端部１４に、端支柱２０Ａの側面２１に対面される第１側面１５から突出し、端支柱２０Ａの凹部２２に挿入される突出部１６を設けた構成としている。また、この突出部１６を含んで当該第２端部１４を突出部１６の突出方向に沿って貫通し、第２側面１８において開口する止具挿通孔１７を第２端部１４に設けた構成としている。従って、第２端部１４の突出部１６を端支柱２０Ａの凹部２２に挿入させた状態で止具挿通孔１７に挿通させた止具８を端支柱２０Ａに止着することで、横桟固定部材１０を端支柱２０Ａに対して固定することができる。
【００２９】
また、突出部１６を横桟固定部材１０の第２端部１４に設けているので、端支柱２０Ａの凹部２２に突出部１６を挿入させた横桟固定部材１０の第２端部１４が端支柱２０Ａの前面（横桟２５長手方向外方側に向く面）から大きく突出するようなことを抑制することができる。また、横桟２５の端部２６を横桟固定部材１０の差込凹所１２に差し込むことで保持させることができるので、横桟２５長手方向に延びる受溝を設けたようなものと比べて、当該横桟固定部材１０と横桟２５との相対的な位置合わせを容易に行うことができ、施工性を向上させることができる。また、横桟固定部材１０は、第２端部１４を底側とした有底筒状であるので、横桟２５長手方向に延びる受溝の上方側を覆うカバーや横桟２５長手方向外側を覆うキャップを設ける必要があるものと比べて、構造の簡略化を図ることができる。
【００３０】
また、本実施形態では、止具挿通孔１７の第２側面１８側の開口を覆うキャップ部材１９を設けた構成としている。従って、止具８の頭部や止具挿通孔１７をキャップ部材１９によって覆い隠すことができ、見栄えを向上させることができる。なお、このようなキャップ部材１９を設けていない構成としてもよい。
【００３１】
また、本実施形態では、突出部１６を、端支柱２０Ａの凹部２２に対して当該突出部１６の突出方向に沿う軸回りに回転自在に挿入される構成としている。従って、突出部１６を端支柱２０Ａの凹部２２に挿入し、横桟固定部材１０を端支柱２０Ａに対して仮止めした状態で、横桟固定部材１０（及びこれの差込凹所１２に差し込まれた横桟２５）を回転させることができる。これにより、端支柱２０Ａに対する横桟固定部材１０（及びこれの差込凹所１２に差し込まれた横桟２５）の傾斜角度を微調整することができる。また、上記のように、横桟２５（手摺６）の傾斜角度に応じて横桟固定部材１０を適宜の傾斜角度で端支柱２０Ａに対して固定することができる。
【００３２】
また、本実施形態では、突出部１６を、当該横桟固定部材１０の幅方向中央部に位置するように設け、第２端部１４の端面１４ａを、突出部１６の突出方向に沿う方向に見て幅方向中央部を最も突出させた突湾曲面形状としている。従って、端支柱２０Ａの凹部２２に突出部１６が挿入された横桟固定部材１０を傾斜させて固定した場合にも、端支柱２０Ａの前面からの第２端部１４の突出寸法を小さくすることができる。なお、図例では、横桟固定部材１０を傾斜状に端支柱２０Ａに固定した状態で、第２端部１４が端支柱２０Ａの前面から僅かに突出する態様とした例を示しているが、このような態様に限られない。上記のような手摺６の傾斜角度の範囲で横桟固定部材１０を端支柱２０Ａに固定した状態で、第２端部１４が端支柱２０Ａの前面から突出しない態様としてもよい。
【００３３】
また、第２端部１４の端面１４ａを、突湾曲面形状とした態様に代えて、多面形状としたり、平坦面状としたりしてもよい。
また、突出部１６を、端支柱２０Ａの凹部２２に対して回転自在に挿入される構成とした態様に代えて、端支柱２０Ａの凹部２２に対して回転不能に挿入される構成としてもよい。この場合は、例えば、突出部１６を、略多角柱状とした態様等としてもよい。
また、上記した例では、横桟２５を、略四角柱状とした例を示しているが、四角以外の略多角柱状とされたものや略円柱状とされたものとしてもよい。この場合は、横桟固定部材１０の差込凹所１２を横桟２５の形状に対応させて、適宜、変形するようにしてもよい。
また、上記した例では、支柱２０の側面２１に溝状の凹部２２を設けた例を示しているが、突出部１６に応じた形状の穴状の凹部２２を設けた態様としてもよい。この場合は、支柱２０の側面２１に、長手方向に間隔を空けて複数箇所に凹部２２を設けた構成等としてもよい。本実施形態に係る横桟固定部材１０及びこれを備えた手摺支持装置１の上記した各部材及び各部の構成は、一例に過ぎず、その他、種々の変形が可能である。
【符号の説明】
【００３４】
１          手摺支持装置
１０        横桟固定部材
１１        第１端部
１１ａ      端面
１２        差込凹所
１４        第２端部
１４ａ      端面
１５        第１側面
１６        突出部
１７        止具挿通孔
１８        第２側面
１９        キャップ部材
２０        支柱
２０Ａ      端支柱（手摺の長手方向一方側の端部を支持する支柱）
２１        側面
２２        凹部
２５        横桟
２６        端部
６          手摺
７          端部
【図１】
2020051033.tif 000003
【図２】
2020051033.tif 000004
【図３】
2020051033.tif 000005
【図４】
2020051033.tif 000006
【図５】
2020051033.tif 000007